【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
第１軌道溝を有して軸方向に延びる案内レールと、
前記第１軌道溝に対向する第２軌道溝およびこの第２軌道溝の両端部に設けられた湾曲溝を介して前記第２軌道溝に連続する転動体戻し通路を有して、前記案内レールに移動自在に被嵌する可動体と、
前記第１軌道溝、前記第２軌道溝、前記湾曲溝および前記転動体戻し通路よりなる循環路に装填されて、前記可動体を前記案内レールに沿って移動させる複数の転動体と、
前記案内レールの長手方向に沿う両端部が前記可動体に支持されて、前記案内レールと前記可動体との間をシールするアンダーシールと、を具備する直動案内軸受装置であって、
前記アンダーシールは、弾性を有する単一の素材で形成されるとともに、前記案内レールに弾性的に接してこの案内レールから上向きの押圧力を受ける摺接部を有することを特徴とする直動案内軸受装置。
【請求項２】
前記案内レールに、前記摺接部が接触する溝部が形成されていることを特徴とする請求項１に記載の直動案内軸受装置。
【請求項３】
前記アンダーシールの長手方向に沿う中間部の少なくとも一箇所が前記可動体に支持されていることを特徴とする請求項１に記載の直動案内軸受装置。
【請求項４】
前記アンダーシールは、断面形状が長手方向に一様な成形品から得た単一の素材で形成されていることを特徴とする請求項１ないし請求項３のいずれかに記載の直動案内軸受装置。
【請求項５】
前記アンダーシールは、前記摺接部と同方向に延びて前記案内レールに接触するリップを有していることを特徴とする請求項１ないし請求項４のいずれかに記載の直動案内軸受装置。
【手続補正２】
【補正対象書類名】明細書
【補正対象項目名】０００８
【補正方法】変更
【補正の内容】
【０００８】
【課題を解決するための手段】
前記課題を解決するため、本発明の一つの形態に係る直動案内軸受装置は、
第１軌道溝を有して軸方向に延びる案内レールと、
前記第１軌道溝に対向する第２軌道溝およびこの第２軌道溝の両端部に設けられた湾曲溝を介して前記第２軌道溝に連続する転動体戻し通路を有して、前記案内レールに移動自在に被嵌する可動体と、
前記第１軌道溝、前記第２軌道溝、前記湾曲溝および前記転動体戻し通路よりなる循環路に装填されて、前記可動体を前記案内レールに沿って移動させる複数の転動体と、
前記案内レールの長手方向に沿う両端部が前記可動体に支持されて、前記案内レールと前記可動体との間をシールするアンダーシールと、を具備している。
前記アンダーシールは、弾性を有する単一の素材で形成されるとともに、前記案内レールに弾性的に接してこの案内レールから上向きの押圧力を受ける摺接部を有することを特徴としている。
【手続補正３】
【補正対象書類名】明細書
【補正対象項目名】００１０
【補正方法】変更
【補正の内容】
【００１０】
この発明の好ましい形態として、案内レールにアンダーシールの摺接部が接触する溝部を形成するとよい。
【手続補正４】
【補正対象書類名】明細書
【補正対象項目名】００１１
【補正方法】変更
【補正の内容】
【００１１】
加えて、アンダーシールの長手方向に沿う中間部の少なくとも一箇所を可動体に支持させることが望ましい。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
さらに、アンダーシールは、断面形状が長手方向に一様な成形品から得た単一の素材で形成することが望ましい。このようにすることにより、予め製造しておいた成形品を必要な長さに切出して使用することができる。
【手続補正７】
【補正対象書類名】明細書
【補正対象項目名】００１４
【補正方法】変更
【補正の内容】
【００１４】
それとともに、アンダーシールは、摺接部と同方向に延びて案内レールに摺接するリップを有していることが好ましい。
【手続補正８】
【補正対象書類名】明細書
【補正対象項目名】００１６
【補正方法】変更
【補正の内容】
【００１６】
この直動案内軸受装置１は、案内レール１０と、可動体であるスライダ２０と、転動体の一例である複数のボール３０と、アンダーシール４０とを備えている。
【手続補正９】
【補正対象書類名】明細書
【補正対象項目名】００１９
【補正方法】変更
【補正の内容】
【００１９】
図３に示すように、スライダ本体２１の両袖部２２の内側壁２２ａには、案内レール１０の第１軌道溝１２に夫々対向する第２軌道溝２３が形成されている。また、両袖部２２の内部には、これを貫通する孔からなるボール戻し通路２４が形成されている。
一対のエンドキャップ２５は合成樹脂等の成形品であり、これには第２軌道溝２３の長手方向両端部に連続する湾曲溝２８が夫々形成されている。ボール戻し通路２４は、湾曲溝２８を介して第２軌道溝２３に連続している。第１軌道溝１２、第２軌道溝２３、湾曲溝２８およびボール戻し通路２４よりなる循環路Ｃには、鉄鋼等からなる複数のボール３０が充填されている。
なお、一方のエンドキャップ２５には、図示しないグリースニップル取付け孔が形成されている。また、図中符号２９は補強板である。
【手続補正１０】
【補正対象書類名】明細書
【補正対象項目名】００２１
【補正方法】変更
【補正の内容】
【００２１】
エンドキャップ２５の袖部２６の下端にスライダ本体２１の袖部２２の下壁２２ｃよりも下方に突出する突出部２７が一体に形成されている。この突出部２７にはアンダーシール支持溝２７ａが形成されている。アンダーシール支持溝２７ａは、傾斜壁２２ｂの壁面の延長上に設けられており、後述するアンダーシール４０の支持部４０ｂが嵌合する形状に形成されている。
【手続補正１１】
【補正対象書類名】明細書
【補正対象項目名】００２５
【補正方法】変更
【補正の内容】
【００２５】
この直動案内軸受装置１は、以下のようにして組立てられる。複数のボール３０を循環路Ｃに装填しつつ、スライダ本体２１の両端部にエンドキャップ２５を接合する。エンドキャップ２５のアンダーシール支持溝２７ａにアンダーシール４０の両端部を差込む。これにより、アンダーシール４０はその両端部が支持されて、スライダ本体２１の下壁２２ｃに軸方向に沿って設けられる。このようにして形成されたスライダ２０を案内レール１０の上側から移動自在に被嵌する。
【手続補正１２】
【補正対象書類名】明細書
【補正対象項目名】００２６
【補正方法】変更
【補正の内容】
【００２６】
案内レール１０にスライダ２０を被嵌すると、アンダーシール４０の摺接部４０ａの先端部が案内レール１０の張出部１１に設けられた傾斜面１１ａに弾性的に接する。これにより、案内レール１０の側壁１０ａとスライダ本体２１の内側壁２２ａとの間がシールされる。
【手続補正１３】
【補正対象書類名】明細書
【補正対象項目名】００３１
【補正方法】変更
【補正の内容】
【００３１】
また、アンダーシール４０は、断面形状が長手方向に一様な成形品から得た単一の素材で形成されており、予め製造しておいた成形品を必要な長さに切出して使用することにより、安価に製造することができる。
【手続補正１４】
【補正対象書類名】明細書
【補正対象項目名】００３３
【補正方法】変更
【補正の内容】
【００３３】
この実施形態では、アンダーシール４１は、図５に示したように、案内レール１０の側壁１０ａに接触する摺接部４１ａと、アンダーシール支持壁２７ａに支持される支持部４１ｂとを有している。支持部４１ｂはスライダ本体２１の傾斜壁２２ｂから下壁２２ｃに沿って屈曲しており、アンダーシール支持溝２７ａに差し込まれて支持される。アンダーシール支持溝２７ａは、支持部４１ｂが嵌合する形状に形成されている。
【手続補正１５】
【補正対象書類名】明細書
【補正対象項目名】００３７
【補正方法】変更
【補正の内容】
【００３７】
なお、この実施形態では、案内レール１０の側壁１０ａに形成した溝部１３ａを断面略半円状に形成したが、溝部１３ａの断面形状は略半円状に限定されるものではない。例えば、図６（Ａ）及び図６（Ｂ）に示したように、略三角形状の溝部１３ｂや略台形状の溝部１３ｃ等のように、反作用として摺接部４１ａに斜め上向きの押圧力が与えられる形状であればよい。
【手続補正１６】
【補正対象書類名】明細書
【補正対象項目名】００３９
【補正方法】変更
【補正の内容】
【００３９】
この実施形態では、アンダーシール４２は、図７に示したように、案内レール１０の側壁１０ａに接触する摺接部４２ａと、アンダーシール支持溝２７ａに支持される支持部４２ｂとを有している。支持部４２ｂはスライダ本体２１の傾斜壁２２ｂから下壁２２ｃに沿って屈曲しており、アンダーシール支持溝２７ａに差し込まれて支持される。アンダーシール支持溝２７ａは、支持部４２ｂが嵌合する形状に形成されている。
【手続補正１７】
【補正対象書類名】明細書
【補正対象項目名】００４４
【補正方法】変更
【補正の内容】
【００４４】
アンダーシール支持溝２７ａは、支持部４３ｂが嵌合する形状に形成されている。案内レール１０の溝部１５の断面形状は、上側と下側に傾斜面を有する略台形状に形成されており、摺接部４３ａの先端部は溝部１５の下側の傾斜面に摺接している。
【手続補正１８】
【補正対象書類名】明細書
【補正対象項目名】００４９
【補正方法】変更
【補正の内容】
【００４９】
この実施形態では、アンダーシール４４及びスライダ本体２１の下壁２２ｃの長手方向中間部、例えば中央部にリベット受孔（図示せず）を形成している。そして、アンダーシール４４の取付け時に、その両端部をエンドキャップ２５のアンダーシール支持溝２７ａに差し込むとともに、長手方向中央部を支持手段としての支持部品、例えばリベット３５で固定している。
なお、アンダーシール４４の長手方向中間部の支持手段は、リベット３５に限らず、ねじや粘着材等でスライダ本体２１に支持させてもよい。
また、この実施形態では、アンダーシール４４を長手方向中央部の一箇所で支持させたが、アンダーシール４４の支持箇所は一箇所でも複数個所でもよい。さらに、他の構成は上記第１の実施形態と同じであるため、重複する説明は図に同符号を付して省略する。
【手続補正１９】
【補正対象書類名】明細書
【補正対象項目名】００５０
【補正方法】変更
【補正の内容】
【００５０】
この実施形態では、アンダーシール４４の長手方向中間部の所定箇所をスライダ本体２１に支持させているため、スライダ本体２１、すなわちアンダーシール４４が長い場合でも、自重による撓みを生じさせることなく良好にシールすることができる。
【手続補正２０】
【補正対象書類名】明細書
【補正対象項目名】００５１
【補正方法】削除
【補正の内容】
【手続補正２１】
【補正対象書類名】明細書
【補正対象項目名】００５２
【補正方法】変更
【補正の内容】
【００５２】
なお、上記第１〜第５の実施形態においては、アンダーシール４０〜４４の摺接部４０ａ〜４４ａが弾性的に接する案内レール１０の摺接面は、傾斜面１１ａ或いは溝部１３ａ，１３ｂ，１３ｃ，１４，１５に限定されるものではなく、摺接部４０ａ〜４４ａを下側から支える方向に傾斜或いは湾曲している面であることが好ましい。
【手続補正２２】
【補正対象書類名】図面
【補正対象項目名】図１
【補正方法】変更
【補正の内容】
【図１】
2003314547.tif 000001
【手続補正２３】
【補正対象書類名】図面
【補正対象項目名】図２
【補正方法】変更
【補正の内容】
【図２】
2003314547.tif 000002
【手続補正２４】
【補正対象書類名】図面
【補正対象項目名】図３
【補正方法】変更
【補正の内容】
【図３】
2003314547.tif 000003